(57)【特許請求の範囲】
【請求項１】
持ち手を有し、前記持ち手には開口を有する収納空間が形成されたスタンプ用印字体ホルダーであって、前記持ち手の下面には印字体被固定部材が備えられて、前記印字体被固定部材は上下面の一方側に印字体を固定する被固定面を有し、前記印字体被固定部材を前記持ち手に対し着脱可能に保持させる保持手段が設けられ、前記印字体被固定部材の外周面には持ち手の開口の縁に当接する突出部が形成され、前記保持手段は、前記持ち手の収納空間の内周面に設けられた係合部と被係合部の一方側と、前記印字体被固定部材の外周面に前記突出部を境にして両側に設けられた係合部と被係合部の他方側とから構成され、前記印字体被固定部材の被固定面から遠い側の他方側を前記持ち手の一方側に係合させると、前記被固定面が前記持ち手の下面から露出する露出状態となり、前記印字体被固定部材の被固定面から近い側の他方側を前記持ち手の一方側に係合させると、前記被固定面が前記持ち手の前記収納空間に収納される収納状態となって、前記印字体被固定部材の取付向きを変更できるものであることを特徴とするスタンプ用印字体ホルダー。
【請求項２】
請求項１に記載したスタンプ用印字体ホルダーを有するスタンプであって、印字体被固定部材の被固定面に印字体を固定したことを特徴とするスタンプ。
【発明の詳細な説明】
【技術分野】
【０００１】
本発明はスタンプ用印字体ホルダー、スタンプに係り、特に携行時に印字体の印面に付着したインクがスタンプを収納する袋等に付着して汚れるのを防止することができるスタンプ用印字体ホルダー、スタンプに関するものである。
【背景技術】
【０００２】
事務等で使用されるスタンプにはゴム印と称するものが多く用いられている。このゴム印はプラスチックや木材によって構成される持ち手と、持ち手の下面に固定される合成ゴム製の印字体とを有している。この印字体は使用者の注文に応じた文字、絵柄のものが印鑑店において製作され、これを持ち手の下面に固定して完成される。
このようなスタンプを袋等に入れて携行すると、印字体の印面に付着したインクが袋等に付着してしまう。これを防ぐためのものとして、印字体を覆う保護蓋を備えたスタンプがある。このスタンプは保護蓋によって印字体が覆われるので、袋等が汚れることなく携行することが可能である。
【０００３】
特許文献１に記載されたスタンプはケースと、ケースに組み付けられる印字体を含む印判本体と、印判本体は回転可能に軸支される一対の保護蓋を備えている。一対の保護蓋は持ち手としての機能を兼ね備えている。
このスタンプでは一対の保護蓋を回転動作させることにより印字体を露出させる使用状態とし、あるいは印字体を覆って収納状態とすることができる。従って、印字体を収納状態にして携行すれば印字体に付いているインクが袋等に付着するのを防ぐことが可能である。
【先行技術文献】
【特許文献】
【０００４】
【特許文献１】特許第４４２１９０７号公報
【発明の概要】
【発明が解決しようとする課題】
【０００５】
しかしながら、上記従来の保護蓋を備えたスタンプは、保護蓋を携行するときにのみ使用するので、保護蓋を失くしてしまうことも少なくないという問題がある。
また、特許文献１のスタンプでは、携行するときはインクが袋等に付着してしまうのを防ぐことができる反面、構造が複雑であり、製造コストが高くなってしまうという問題がある。スタンプは携行する頻度が少ないにも拘らず、携行するための機能を付与することによってコストが高くなってしまうのでは価格競争力のない製品となってしまう。
【０００６】
本発明は上記従来の問題に着目して為されたものであり、携行するときにインクが袋等に付着してしまうのを防ぐことができ、保護蓋を失くしてしまうこともなく、構造が簡単であり、製造コストが低いスタンプ、このスタンプに用いるスタンプ用印字体ホルダーの提供を、その目的とする。
【課題を解決するための手段】
【０００７】
本発明は上記課題を解決するためになされたものであり、請求項１の発明は、  持ち手を有し、前記持ち手には開口を有する収納空間が形成されたスタンプ用印字体ホルダーであって、前記持ち手の下面には印字体被固定部材が備えられて、前記印字体被固定部材は上下面の一方側に印字体を固定する被固定面を有し、前記印字体被固定部材を前記持ち手に対し着脱可能に保持させる保持手段が設けられ、前記印字体被固定部材の外周面には持ち手の開口の縁に当接する突出部が形成され、前記保持手段は、前記持ち手の収納空間の内周面に設けられた係合部と被係合部の一方側と、前記印字体被固定部材の外周面に前記突出部を境にして両側に設けられた係合部と被係合部の他方側とから構成され、前記印字体被固定部材の被固定面から遠い側の他方側を前記持ち手の一方側に係合させると、前記被固定面が前記持ち手の下面から露出する露出状態となり、前記印字体被固定部材の被固定面から近い側の他方側を前記持ち手の一方側に係合させると、前記被固定面が前記持ち手の前記収納空間に収納される収納状態となって、前記印字体被固定部材の取付向きを変更できるものであることを特徴とするスタンプ用印字体ホルダーである。
【００１０】
請求項２の発明は、請求項１に記載したスタンプ用印字体ホルダーを有するスタンプであって、印字体被固定部材の被固定面に印字体を固定したことを特徴とするスタンプである。
【発明の効果】
【００１１】
本発明のスタンプ用印字体ホルダーを用いたスタンプでは、携行するときにインクが袋等に付着してしまうのを防ぐことができ、保護蓋を失くしてしまうのを防ぐことができる。
また、本発明のスタンプ用印字体ホルダーを用いたスタンプは構造が簡単であり、製造コストを低く抑えることが可能である。
【図面の簡単な説明】
【００１２】
【図１】本発明の実施の形態に係るスタンプ用印字体ホルダー、スタンプの構成を説明するための斜視図である。
【図２】図１のスタンプ用印字体ホルダー、スタンプの印面側の構成を説明するための斜視図である。
【図３】図１のスタンプの斜視図である。
【図４】図１のスタンプを露出状態としたときの斜視図である。
【図５】図３のスタンプの側面図である。
【図６】図３のスタンプの断面図である。
【図７】図１のスタンプを収納状態としたときの斜視図である。
【図８】図７のスタンプの側面図である。
【図９】図７のスタンプの断面図である。
【発明を実施するための形態】
【００１３】
本発明の実施の形態に係るスタンプ１を図面にしたがって説明する。
スタンプ１はスタンプ用印字体ホルダー１ａと印字体３１、両面接着テープ３５、シール７とによって構成されている。
スタンプ用印字体ホルダー１ａの構成について説明する。
符号２は持ち手を示し、この持ち手２は天板２ａと前後左右の側板２ｂを有する略方形の箱状を為しており、さらに下面に開口を有する収納空間３が設けられている。
天板２ａの上面には浅い凹部４が設けられており、また、持ち手２にはくびれ部９が形成されている。このくびれ部９は捺印時にスタンプ１を持ちやすくするためのものである。
【００１４】
さらに、持ち手２の下端部には捺印補助凸部１１が形成されており、この捺印補助凸部１１は前後左右の側板２ｂの幅方向の中心位置にそれぞれ形成されている。捺印補助凸部１１は捺印時に捺印位置を決定する目安となるものである。
また、収納空間３側の左右の側板２ｂの内面には係合部としての一対の係合凸部１２が形成されており、これらの係合凸部１２は左右の側板２ｂの下端部に配置されている。
【００１５】
符号１３は印字体被固定部材を示し、この印字体被固定部材１３は後述する印字体３１を保持するものである。印字体被固定部材１３の詳細な構造について説明する。
本体部１５は持ち手２の収納空間３の開口を塞ぐ形状、サイズの板状に形成され、この本体部１５の角部はアール状となっている。また、本体部１５の前後左右の側面には、持ち手２の捺印補助凸部１１と対応する位置に位置決め凹部１４が形成されている。
【００１６】
図１において本体部１５の上面には立ち上がり部１７が形成されており、この立ち上がり部１７は本体部１５の縁部に沿って設けられている。この立ち上がり部１７に囲まれた領域が凹部１８となっている。立ち上がり部１７は収納空間３の開口に嵌る形状、サイズに設定されている。
立ち上がり部１７の左右両側面には被係合部としての係合凹部１９が形成されており、この係合凹部１９には抜け止め凸部２１が設けられている。係合凹部１９は持ち手２の係合凸部１２と対応して配置されている。
【００１７】
図１において印字体被固定部材１３の下面には立ち上がり部２３が形成されており、この立ち上がり部２３は立ち上がり部１７より高さ寸法が小さいことを除いて同様の構成を有している。すなわち、立ち上がり部２３は持ち手２の収納空間３に嵌る形状、サイズに設定されている。また、立ち上がり部２３に囲まれた領域が凹部２５となっている。
なお、本体部１５には立ち上がり部１７、２３の外周面より周方向へ突出する突出部２２を有している。
【００１８】
立ち上がり部２３の左右両側面には係合凸部１２と対応する位置に被係合部としての係合凹部２７が形成されており、この係合凹部２７には抜け止め凸部２９が形成されている。すなわち、係合凹部１９、２７は突出部２２を境にして両側に設けられている。
係合凸部１２、係合凹部１９、２７によって保持手段が構成されている。
スタンプ用印字体ホルダー１ａは以上のように構成されている。
【００１９】
符号３１は印字体を示し、この印字体３１は図１において下面側が印面３３となっている。印字体３１は印面３３を下側して凹部２５に収納され、両面接着テープ３５を介して印字体被固定部材１３に固定されている。この印字体３１の印面３３は凹部２５から突出している。印字体３１は使用者の注文に応じた文字、絵柄のものが印鑑店において製作される。
【００２０】
印字体被固定部材１３は立ち上がり部１７が収納空間３に嵌め込まれて持ち手２に固定され、持ち手２の下面から印字体３１が露出した露出状態となっている。この状態では突出部２２が収納空間３の開口の縁に当接しており、これにより印字体被固定部材１３は持ち手２に対し直交するように位置決めされる。すなわち、印字体３１の印面３３が持ち手２の開口の縁に対して傾きのない状態となる。
図６に示すように、露出状態では印字体被固定部材１３の係合凹部１９に持ち手２の係合凸部１２が嵌まり込んでおり、さらに抜け止め凸部２１によって係合凸部１２が係合凹部１９から抜け止めされている。この状態において、捺印補助凸部１１と位置決め凹部１４は互いに対向している。
なお、持ち手２の凹部４には後述する印字体３１が転写されたシール７が貼られている。
【００２１】
スタンプ１の使用方法について、図面にしたがって説明する。
スタンプ１を使用するときは、上記した露出状態とする。そして、持ち手２のくびれ部９を掴んで、印字体３１の印面３３をスタンプ台に押し付けて、印面３３にインキを付着させる。次いで、捺印補助凸部１１を基準として正しい押印位置を決め、印面３３を紙などに押し付けてインクによって印字する。前述のように印字体被固定部材１３は持ち手２に対し直交するように位置決めされ、印字体３１の印面３３が持ち手２の開口の縁に対して傾きのない状態となっているので、印面３３を均一な力で押し付けることができ、きれいに押印することが可能である。
なお、印字後においても印面３３にはインクが残ることになる。印字後はスタンプ１を収納箱に印面３３を下に向けて入れておく。
【００２２】
スタンプ１を携行するときはスタンプ１を収納箱から出し、一方の手で持ち手２を掴み、もう一方の手で突出部２２を掴んで、持ち手２から印字体被固定部材１３を引き抜くようにする。すると、係合凸部１２が抜け止め凸部２１を乗り越えて係合凹部１９との係合が外れ、持ち手２から印字体被固定部材１３が外れる。
次に、印字体被固定部材１３の上下を入れ替えて、印字体３１が上へ向く姿勢とする。そして、位置決め凹部１４と捺印補助凸部１１とを対向させて、印字体被固定部材１３の立ち上がり部２３を持ち手２の収納空間３に嵌め込む。すると、持ち手２の係合凸部１２が立ち上がり部２３の抜け止め凸部２９を乗り越えて係合凹部２７に嵌まり込み、持ち手２と印字体被固定部材１３とを固定する。
これにより、印字体３１が持ち手２の収納空間３に収納されて収納状態となり、スタンプ１を携行するときにインクが袋等に付着してしまうのを防ぐことができる。このように、印字体被固定部材１３が印字体３１の保護蓋としての機能を果たすことになる。
【００２３】
また、スタンプ１を使用する場合には、持ち手２から印字体被固定部材１３を外し、印字体３１が下を向く姿勢として、印字体被固定部材１３の立ち上がり部１７を持ち手２の収納空間３に嵌め込む。すると、持ち手２の係合凸部１２が立ち上がり部１７の抜け止め凸部２１を乗り越えて係合凹部１９に嵌まり込み、持ち手２と印字体被固定部材１３とを固定する。これによって、印字体３１を露出して露出状態とする。
上記のように、印字体被固定部材１３は露出状態のときも収納状態のときも持ち手２に固定されているため、保護蓋としての機能を果たす印字体被固定部材１３を失くしてしまうことがない。
【００２４】
さらに、スタンプ１は構造が簡単であり、製造コストを低く抑えることが可能である。
上記のようにスタンプ用印字体ホルダー１ａでは使用者の注文に応じた文字、絵柄が印鑑店において製作され、これを持ち手の下面に固定して完成されるので、従来のゴム印と同様の工程で製作することができ、従来と殆ど変わらない手間、コストで製作することが可能である。
【００２５】
以上、本発明の実施の形態について詳述してきたが、具体的構成は、この実施の形態に限られるものではなく、本発明の要旨を逸脱しない範囲における設計の変更などがあっても発明に含まれる。
例えば、本実施の形態の持ち手２は略方形の箱形に設定されていたが、本発明はこの形態に限られず、例えば四角錐の箱形に変更することができる。
【産業上の利用可能性】
【００２６】
スタンプの製造業等に利用可能性を有する。
【符号の説明】
【００２７】
１…スタンプ    １ａ…スタンプ用印字体ホルダー      ２…持ち手
２ａ…天板    ２ｂ…側板    ３…収納空間
４…凹部    ７…シール    ９…くびれ部    １１…捺印補助凸部
１２…係合凸部    １３…印字体被固定部材    １４…位置決め凹部
１５…本体部    １７…立ち上がり部    １８…凹部    １９…係合凹部
２１…抜け止め凸部    ２２…突出部    ２３…立ち上がり部    ２５…凹部
２７…係合凹部    ２９…抜け止め凸部    ３１…印字体    ３３…印面
３５…両面接着テープ
【要約】
【課題】携行するときにインクが袋等に付着してしまうのを防ぐことができ、保護蓋を失くしてしまうこともなく、構造が簡単であり、製造コストが低いスタンプ、このスタンプに用いるスタンプ用印字体ホルダーの提供。
【解決手段】スタンプ１を携行するときは、持ち手２と突出部２２をつかみ、持ち手２から印字体被固定部材１３を引き抜き、印字体被固定部材１３の上下を入れ替えて、印字体３１が上へ向く姿勢とする。そして、位置決め凹部１４と捺印補助凸部１１とを対向させて、印字体被固定部材１３の立ち上がり部２３を持ち手２の収納空間３に嵌め込む。すると、持ち手２の係合凸部１２が立ち上がり部２３の抜け止め凸部２９を乗り越えて係合凹部２７に嵌まり込み、持ち手２と印字体被固定部材１３とを固定する。これにより、印字体３１が持ち手２の収納空間３に収納されて収納状態となり、スタンプ１を携行するときにインクが袋等に付着してしまうのを防ぐことができる。
【選択図】        図１【図１】
0005619968.tif 000002
【図２】
0005619968.tif 000003
【図３】
0005619968.tif 000004
【図４】
0005619968.tif 000005
【図５】
0005619968.tif 000006
【図６】
0005619968.tif 000007
【図７】
0005619968.tif 000008
【図８】
0005619968.tif 000009
【図９】
0005619968.tif 000010